【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
記録部と、
前記記録部に搬送される媒体を収容する第1媒体収容部を有する第１媒体収容トレイを備えた媒体カセットと、
前記媒体カセットに載置され、前記記録部で記録された媒体を受ける排紙受けトレイと、を備え、
前記排紙受けトレイは、
前記第1媒体収容トレイの前記第1媒体収容部の少なくとも一部に重なり、前記記録部で記録された媒体を受ける閉状態と、
前記第１媒体収容トレイの端部に対して回動し、前記第１媒体収容部を開放する開状態と、を成すことを特徴とする記録装置。
【請求項２】
請求項１記載の記録装置であって、
前記媒体カセットは、前記第１媒体収容トレイ上に配置され、前記記録部に搬送される媒体を収容する第２媒体収容部を有する第２媒体収容トレイを、さらに備え、
前記排紙受けトレイは、前記閉状態で前記第２媒体収容部の少なくとも一部と重なり可能であり、前記開状態で前記第２媒体収容部を開放可能である、ことを特徴とする記録装置。
【請求項３】
請求項１または請求項２記載の記録装置であって、
前記排紙受けトレイは、前記第1媒体収容トレイの端部に対して回動することで、前記閉状態と前記開状態に位置することを特徴とする記録装置。
【請求項４】
請求項２または請求項３記載の記録装置であって、
前記第２媒体収容トレイは、前記第１媒体収容トレイに対して進退可能に移動し、前記第２媒体収容トレイの位置により、前記第1媒体収容トレイの前記第1媒体収容部の媒体の搬送と、前記第２媒体収容トレイの前記第２媒体収容部の媒体の搬送と、が可能となることを特徴とする記録装置。
【請求項５】
請求項２ないし請求項４のいずれか一項記載の記録装置であって、
前記第２媒体収容トレイは、前記第1媒体収容トレイの前記第1媒体収容部に少なくとも一部と重なり可能であり、
さらに、前記第２媒体収容トレイは、前記第１媒体収容トレイに対して回動し、前記排紙受けトレイが前記開状態の時、前記第１媒体収容部を開放可能であることを特徴とする記録装置。
【請求項６】
請求項１ないし請求項５のいずれか一項記載の記録装置であって、
さらに、前記第1媒体収容トレイの前記第1媒体収容部の媒体の搬送と、前記第２媒体収容トレイの前記第２媒体収容部の媒体の搬送を行うピックアップローラーを備え、
前記排紙受けトレイは、前記閉状態に位置する時、前記ピックアップローラーが前記第1媒体収容部の媒体あるいは前記第２媒体収容部の媒体を搬送可能な空間を形成することを特徴とする記録装置。
【請求項７】
請求項１ないし請求項６のいずれか一項記載の記録装置であって、
前記排紙受けトレイは、両端部に有したアームを介して、前記第１媒体収容トレイの端部に対して回動することを特徴とする記録装置。
【手続補正２】
【補正対象書類名】明細書
【補正対象項目名】発明の名称
【補正方法】変更
【補正の内容】
【発明の名称】記録装置
【手続補正３】
【補正対象書類名】明細書
【補正対象項目名】０００１
【補正方法】変更
【補正の内容】
【０００１】
本発明は、媒体を収容する媒体収容トレイと記録が行われて排出される媒体を支持する媒体支持トレイとを備えて成る媒体カセットを備えた、ファクシミリやプリンター等に代表される記録装置に関する。
【手続補正４】
【補正対象書類名】明細書
【補正対象項目名】０００８
【補正方法】変更
【補正の内容】
【０００８】
上記課題を解決する為の、本発明の第１の態様に係る記録装置は、記録部と、前記記録部に搬送される媒体を収容する第1媒体収容部を有する第１媒体収容トレイを備えた媒体カセットと、前記媒体カセットに載置され、前記記録部で記録された媒体を受ける排紙受けトレイと、を備え。そして、前記排紙受けトレイは、前記第1媒体収容トレイの前記第1媒体収容部の少なくとも一部に重なり、前記記録部で記録された媒体を受ける閉状態と、前記第１媒体収容トレイの端部に対して回動し、前記第１媒体収容部を開放する開状態と、を成すことを特徴とする。
本態様によれば、排紙受けトレイは、第1媒体収容トレイの端部に対して回動し、第１媒体収容部を開放する開状態にできるので、第1媒体収容トレイへ媒体をセットする作業を容易に行うことができる。
【手続補正５】
【補正対象書類名】明細書
【補正対象項目名】０００９
【補正方法】変更
【補正の内容】
【０００９】
上記課題を解決する為の、本発明に関連する第１の態様に係る媒体カセットは、媒体を収容する媒体収容トレイと、前記媒体収容トレイにおける媒体送り出し方向下流側端部近傍または上流側端部近傍に設けられた回動軸を介して前記媒体収容トレイに連結され、媒体送り出し方向と交差する方向に沿った回動軸線を中心に回動可能に設けられた、媒体を支持する媒体支持トレイとを備えて成ることを特徴とする。
本態様によれば、媒体収容トレイと媒体支持トレイとを備えて成る媒体カセットにおいて、媒体支持トレイが、媒体収容トレイにおける媒体送り出し方向下流側端部近傍または上流側端部近傍に設けられた回動軸を介して媒体収容トレイと連結するので、媒体支持トレイを開いた際に媒体収容トレイの上方が大きく開放され、これによって媒体収容トレイへ媒体をセットする作業を容易に行うことができる。
【手続補正６】
【補正対象書類名】明細書
【補正対象項目名】００１０
【補正方法】変更
【補正の内容】
【００１０】
本発明に関連する第２の態様に係る媒体カセットは、媒体を収容する媒体収容トレイと、前記媒体収容トレイにおける媒体送り出し方向と交差する方向の端部近傍に設けられた回動軸を介して前記媒体収容トレイに連結され、媒体送り出し方向に沿った回動軸線を中心に回動可能に設けられた、媒体を支持する媒体支持トレイとを備えて成ることを特徴とする。
【手続補正７】
【補正対象書類名】明細書
【補正対象項目名】００１２
【補正方法】変更
【補正の内容】
【００１２】
本発明に関連する第３の態様に係る媒体カセットは、媒体を収容する媒体収容トレイと、前記媒体収容トレイの媒体収容領域における媒体送り出し方向下流側端部近傍または上流側端部近傍に設けられた回動軸を介して前記媒体収容トレイに連結され、媒体送り出し方向と交差する方向に沿った回動軸線を中心に回動可能に設けられた、媒体を支持する媒体支持トレイとを備えて成ることを特徴とする。
【手続補正８】
【補正対象書類名】明細書
【補正対象項目名】００１４
【補正方法】変更
【補正の内容】
【００１４】
本発明に関連する第４の態様に係る媒体カセットは、媒体を収容する媒体収容トレイと、前記媒体収容トレイの媒体収容領域における媒体送り出し方向と交差する方向の端部近傍に設けられた回動軸を介して前記媒体収容トレイに連結され、媒体送り出し方向に沿った回動軸線を中心に回動可能に設けられた、媒体を支持する媒体支持トレイとを備えて成ることを特徴とする。
【手続補正９】
【補正対象書類名】明細書
【補正対象項目名】００１６
【補正方法】変更
【補正の内容】
【００１６】
本発明に関連する第５の態様に係る媒体カセットは、媒体を収容する媒体収容トレイと、回動軸を介して前記媒体収容トレイと連結された、媒体を支持する媒体支持トレイと、を備え、前記媒体支持トレイが前記媒体収容トレイを開放する開姿勢にある状態において、前記媒体収容トレイの媒体収容領域上方が前記媒体支持トレイによって仕切られず単一の媒体収容口が形成される構成を備えることを特徴とする。
【手続補正１０】
【補正対象書類名】明細書
【補正対象項目名】００１８
【補正方法】変更
【補正の内容】
【００１８】
本発明に関連する第６の態様に係る媒体カセットは、本発明に関連する第１から第５の態様のいずれかにおいて、前記媒体収容トレイは、第１媒体収容トレイと、当該第１媒体収容トレイの上部に設けられた第２媒体収容トレイと、を備えて成り、前記媒体支持トレイが、前記第１媒体収容トレイに、前記回動軸を介して連結されていることを特徴とする。
【手続補正１１】
【補正対象書類名】明細書
【補正対象項目名】００２０
【補正方法】削除
【補正の内容】